(57)【要約】【課題】  本発明は、時間経過を反映して、血液成分や生体情報の変化するデータを視覚化することができるとともに、複合的にデータを利用することができる生体情報管理システムを得るにある。【解決手段】データベース等に格納される時間経過データと体内の血液成分の種々のデータテーブルとを比較する演算工程と、この演算工程から血液中のアルコール、ニコチン、食事摂取および消費エネルギー量、血糖値、コレステロール、中性脂肪、塩分、アミノ酸等等の含有量を算出し、時間経過データと比較して、上昇率、下降率等を算出する算出工程と、この算出工程から算出されたデータを基にして、前記時間経過データと同時に視覚表現で表示する表示工程とで生体情報管理システムを構成している。【選択図】図１
2008204418.tif 000002
【特許請求の範囲】
【請求項１】
データベース等に格納される時間経過データと体内の血液成分の種々のデータテーブルとを比較する演算工程と、この演算工程から血液中のアルコール、ニコチン、食事摂取および消費エネルギー量、血糖値、コレステロール、中性脂肪、塩分、アミノ酸等等の含有量を算出し、時間経過データと比較して、上昇率、下降率等を算出する算出工程と、この算出工程から算出されたデータを基にして、前記時間経過データと同時に視覚表現で表示する表示工程とを備えることを特徴とする生体情報管理システム。
【請求項２】
データベース等に格納される、利用者の生体情報の種々のデータテーブルとしての、体脂肪率（筋重量）を関連付ける筋肉コントロールデータテーブルと利用者の体重を比較する演算工程と、この演算工程からマッスルウェイトレシオを算出する算出工程と、この算出工程から算出されたデータを基にして、視覚的に表現できる視覚化データを表示する表示工程とを備え備えることを特徴とする生体情報管理システム。
【請求項３】
データベース等に格納される時間経過データと体内の血液成分の種々のデータテーブルとを比較する演算工程、この演算工程から血液中のアルコール、ニコチン、食事摂取および消費エネルギー量、血糖値、コレステロール、中性脂肪、塩分、アミノ酸等の含有量を算出し、時間経過データと比較して、上昇率、下降率等を算出する算出工程、この算出工程から算出されたデータを基にして、前記時間経過データと同時に視覚的に表現できる視覚化データを表示する表示工程とを備え、処理演算することができる情報端末機と、前記表示工程で表示される視覚化データをインターネットやイントラネット等を介して利用者端末機に送受信することができるＷｅｂサーバと、生体情報管理業務を制御する中央処理制御部とを備えることを特徴とする生体情報管理システム。
【請求項４】
データベース等に格納される、利用者の生体情報の種々のデータテーブルとしての、体脂肪率（筋重量）を関連付ける筋肉コントロールデータテーブルと利用者の体重を比較する演算工程、この演算工程からマッスルウェイトレシオを算出する算出工程、この算出工程から算出されたデータを基にして、視覚的に表現できる視覚化データを表示する表示工程とを備え、処理演算することができる情報端末機と、前記表示工程で表示される視覚化データをインターネットやイントラネット等を介して利用者端末機に送受信することができるＷｅｂサーバと、生体情報管理業務を制御する中央処理制御部とを備えことを特徴とする生体情報管理システム。
【請求項５】
前記利用者端末機および情報端末機は、携帯電話機、通信機能を備えたＰＤＡ（携帯型情報処理端末機）、パーソナルコンピュータを含むことを特徴とする請求項１、２、３、４のいずれかに記載の生体情報管理システム。
【請求項６】
前記情報端末機のデータベースは、食品や食材に関するカロリー、ビタミン、ミネラル、脂質、食物繊維等の基礎データテーブルを含むことを特徴とする請求項１、２、３、４のいずれかに記載の生体情報管理システム。
【請求項７】
前記情報端末機のデータベースには、一日に摂取するカロリーや糖質等の量の基準値や標準値、目標値を設定した基準値テーブルを含むことを特徴とする請求項１、２、３、４のいずれかに記載の生体情報管理システム。
【請求項８】
前記情報端末機のデータベースには、基準値に対してどの程度超過しているか等によって、適切なウォーキング、ジョギング、サイクリング、水泳、サッカー、野球、エアロビクス等の運動メニューを関連付けされた運動メニューテーブルを備えることを特徴とする請求項１、２、３、４のいずれかに記載の生体情報管理システム。
【請求項９】
前記情報端末機のデータベースには、食品に含まれる糖質のデータテーブルを備えることを特徴とする請求項１、２、３、４のいずれかに記載の生体情報管理システム。
【請求項１０】
前記情報端末機のデータベースには、ビール、ワイン、ウイスキー、日本酒、焼酎等のアルコール度数に関連するアルコールデータテーブルを備えることを特徴とする請求項１、２、３、４のいずれかに記載の生体情報管理システム。
【請求項１１】
前記情報端末機のデータベースには、煙草の本数による血中ニコチンの濃度を関連付けるニコチンデータテーブルを備えることを特徴とする請求項１、２、３、４のいずれかに記載の生体情報管理システム。
【請求項１２】
前記情報端末機のデータベースには、食品摂取エネルギーおよび消費エネルギーを関連付けるエネルギーデータテーブルを備えることを特徴とする請求項１、２、３、４のいずれかに記載の生体情報管理システム。
【請求項１３】
前記情報端末機のデータベースには、食材別に中性脂肪およびコレステロール指数を関連付ける脂質コントロールデータテーブルを備えることを特徴とする請求項１、２、３、４のいずれかに記載の生体情報管理システム。
【請求項１４】
前記情報端末機のデータベースには、食材別にアミノ酸量を関連付けるアミノ酸コントロールデータテーブルを備えることを特徴とする請求項１、２、３、４のいずれかに記載の生体情報管理システム。
【請求項１５】
前記情報端末機のデータベースには、食材別に塩分量を関連付ける塩分コントロールデータテーブルを備えることを特徴とする請求項１、２、３、４のいずれかに記載の生体情報管理システム。
【請求項１６】
前記情報端末機のデータベースには、食材別にカロリー量を関連付けるカロリーコントロールデータテーブルを備えることを特徴とする請求項１、２、３、４のいずれかに記載の生体情報管理システム。
【請求項１７】
前記情報端末機のデータベースには、食材別の脂質含有量および脂質消費量を関連付ける脂質コントロールデータテーブルを備えることを特徴とする請求項１、２、３、４のいずれかに記載の生体情報管理システム。
【請求項１８】
前記情報端末機のデータベースには、食材別のタンパク質含有量（ｇ）およびタンパク質消費量を関連付けるタンパク質コントロールデータテーブルを備えることを特徴とする請求項１、２、３、４のいずれかに記載の生体情報管理システム。
【請求項１９】
前記情報端末機のデータベースには、データベース等に格納される利用者の生体情報の種々のデータテーブルを比較する演算工程において、体重と体脂肪率（筋重量）を関連付ける筋肉コントロールデータテーブルを備えることを特徴とする請求項１、２、３、４のいずれかに記載の生体情報管理システム。
【請求項２０】
前記演算工程には、対象者が摂取した、あるいは摂取する予定の飲食物のカロリー、糖質、脂質等のデータを読取り（書込み）可能状態に加工し、演算することができることを特徴とする請求項１、２、３、４のいずれかに記載の生体情報管理システム。
【請求項２１】
前記情報端末機のデータベースには、前記通信網上で、利用者がアニメーションや架空人物等のアバターとして選択登録できるように、少なくとも２種類以上のキャラクターやアニメーション等を選択できる項目を備えることを特徴とする請求項１、２、３、４のいずれかに記載の生体情報管理システム。
【発明の詳細な説明】
【技術分野】
【０００１】  本発明は、インターネットやイントラネット等の通信網を介した生体情報管理システムに関し、詳しくは、測定あるいは入力等をした生体情報と所定のデータ等を基準にして、時間経過とともに、あるいは時間経過に関係なく変化するデータを視覚化して利用者に提供し、体質や体調等の改善を促すことができる生体情報管理システムに関する。
【背景技術】
【０００２】  従来、個人が家庭などで測定する血圧などの生体情報は、恒常的な監視と定期的な取得と診断とを行うことにより、予防医学、早期発見、予後の改善などに役立つと考えられている。【０００３】  しかし、インターネット等を用いる健康指導においては、１日の必要エネルギー、栄養素を定量化し棒グラフ等で表示したりしている。この方法では、時間経過が反映されず継続的な状態が把握しにくいことが問題点であるとともに、個々のデータとしてしか存在していないので、検査時点や診断時点の結果に囚われ、時間経過を考慮して複合的にデータを利用することが困難であるという問題があった。【０００４】  さらに、定期的に測定データを取得しても、主治医等による診断は本人が来院するまで行われないという問題があり、早期発見の妨げとなり、もしくは、日常管理を治療に反映させることへの妨げとなっている。
【発明の開示】
【発明が解決しようとする課題】
【０００５】
【０００６】  本発明は、前述の問題を解決するため、時間経過を反映して、血液成分や生体情報の変化するデータを視覚化することができるとともに、複合的にデータを利用することができる生体情報管理システムを提供することを目的としている。
【課題を解決するための手段】
【０００７】  本発明は、データベース等に格納される時間経過データと体内の血液成分の種々のデータテーブルとを比較する演算工程と、この演算工程から血液中のアルコール、ニコチン、食事摂取および消費エネルギー量、血糖値、コレステロール、中性脂肪、塩分、アミノ酸等等の含有量を算出し、時間経過データと比較して、上昇率、下降率等を算出する算出工程と、この算出工程から算出されたデータを基にして、前記時間経過データと同時に視覚表現で表示する表示工程とを備えることを特徴とする。【０００８】  また、本発明は、時間経過データと体内の血液成分の種々のデータテーブルとを比較する演算工程、この演算工程から血液中のアルコール、ニコチン、食事摂取および消費エネルギー量、血糖値、コレステロール、中性脂肪、塩分、アミノ酸等等の含有量を算出し、時間経過データと比較して、上昇率、下降率等を算出する算出工程、この算出工程から算出されたデータを基にして、前記時間経過データと同時に視覚的に表現できる視覚化データを表示する表示工程とを備え、処理演算することができる情報端末機と、前記表示工程で表示される視覚化データをインターネットやイントラネット等を介して利用者端末機に送受信することができるＷｅｂサーバと、生体情報管理業務を制御する中央処理制御部とを備えることを特徴とする。【０００９】  また、本発明は、データベース等に格納される時間経過データと体内の血液成分の種々のデータテーブルとを比較する演算工程、この演算工程から血液中のアルコール、ニコチン、食事摂取および消費エネルギー量、血糖値、コレステロール、中性脂肪、塩分、アミノ酸等の含有量を算出し、時間経過データと比較して、上昇率、下降率等を算出する算出工程、この算出工程から算出されたデータを基にして、前記時間経過データと同時に視覚的に表現できる視覚化データを表示する表示工程とを備え、処理演算することができる情報端末機と、前記表示工程で表示される視覚化データをインターネットやイントラネット等を介して利用者端末機に送受信することができるＷｅｂサーバと、生体情報管理業務を制御する中央処理制御部とを備えることを特徴とする。【００１０】  また、本発明は、データベース等に格納される、利用者の生体情報の種々のデータテーブルとしての、体脂肪率（筋重量）を関連付ける筋肉コントロールデータテーブルと利用者の体重を比較する演算工程、この演算工程からマッスルウェイトレシオを算出する算出工程、この算出工程から算出されたデータを基にして、視覚的に表現できる視覚化データを表示する表示工程とを備え、処理演算することができる情報端末機と、前記表示工程で表示される視覚化データをインターネットやイントラネット等を介して利用者端末機に送受信することができるＷｅｂサーバと、生体情報管理業務を制御する中央処理制御部とを備えことを特徴とする。【００１１】  また、本発明は、前記情報端末機は、携帯電話機、通信機能を備えたＰＤＡ（携帯型情報処理端末機）、パーソナルコンピュータを含むことを特徴とする。【００１２】  また、本発明は、前記情報端末機のデータベースは、食品や食材に関するカロリー、ビタミン、ミネラル、脂質、食物繊維等の基礎データテーブルを含むことを特徴とする。【００１３】  また、本発明は、前記情報端末機のデータベースには、一日に摂取するカロリーや糖質等の量の基準値や標準値、目標値を設定した基準値テーブルを含むことを特徴とする。【００１４】  また、本発明は、前記情報端末機のデータベースには、食品に含まれる糖質のデータテーブルを備えることを特徴とする。【００１５】  また、本発明は、前記情報端末機のデータベースには、基準値に対してどの程度超過しているか等によって、適切なウォーキング、ジョギング、サイクリング、水泳、サッカー、野球、エアロビクス等の運動メニューを関連付けされた運動メニューテーブルを備えることを特徴とする。【００１６】  また、本発明は、前記情報端末機のデータベースには、ビール、ワイン、ウイスキー、日本酒、焼酎等のアルコール度数に関連するアルコールデータテーブルを備えることを特徴とする。【００１７】  また、本発明は、前記情報端末機のデータベースには、煙草の本数による血中ニコチンの濃度を関連付けるニコチンデータテーブルを備えることを特徴とする。【００１８】  また、本発明は、前記情報端末機のデータベースには、食品摂取エネルギーおよび消費エネルギーを関連付けるエネルギーデータテーブルを備えることを特徴とする。【００１９】  また、本発明は、前記情報端末機のデータベースには、食材別に中性脂肪およびコレステロール指数を関連付ける脂質コントロールデータテーブルを備えることを特徴とする。【００２０】  また、本発明は、前記情報端末機のデータベースには、食材別にアミノ酸量を関連付けるアミノ酸コントロールデータテーブルを備えることを特徴とする。【００２１】  また、本発明は、前記情報端末機のデータベースには、食材別に塩分量を関連付ける塩分コントロールデータテーブルを備えることを特徴とする。【００２２】  また、本発明は、前記情報端末機のデータベースには、食材別にカロリー量を関連付けるカロリーコントロールデータテーブルを備えることを特徴とする。【００２３】  また、本発明は、前記情報端末機のデータベースには、食材別の脂質含有量および脂質消費量を関連付ける脂質コントロールデータテーブルを備えることを特徴とする【００２４】  また、本発明は、前記情報端末機のデータベースには、食材別のタンパク質含有量（ｇ）およびタンパク質消費量を関連付けるタンパク質コントロールデータテーブルを備えることを特徴とする。【００２５】  また、本発明は、前記情報端末機のデータベースには、データベース等に格納される利用者の生体情報の種々のデータテーブルを比較する演算工程において、体重と体脂肪率（筋重量）を関連付ける筋肉コントロールデータテーブルを備えることを特徴とする。【００２６】  また、本発明は、前記演算工程には、対象者が摂取した、あるいは摂取する予定の飲食物のカロリー、糖質、脂質等のデータを読取り（書込み）可能状態に加工し、演算することができることを特徴とする。【００２７】  また、本発明は、前記情報端末機のデータベースには、前記通信網上で、利用者がアニメーションや架空人物等のアバターとして選択登録できるように、少なくとも２種類以上のキャラクターやアニメーション等を選択できる項目を備えることを特徴とする。【００２８】  本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【発明の効果】
【００２９】  以上の説明から明らかなように、本発明にあっては次に列挙する効果が得られる。【００３０】  本発明によれば、血圧や血糖値、血中アルコール濃度等の生体情報を、時間経過ともに変化する状態を的確に視覚的に把握することができるので、利用者も効率よく体調を維持、管理することができる。【００３１】  また、血圧や血糖値、血中アルコール濃度等の生体情報を、時間経過ともに変化する状態を的確に視覚的に把握することができるので、体調管理のために、何をすればよいか、何をするべきか、容易に理解することができる。【００３２】  生体情報の検査結果を手持ちの情報端末機で把握することができるので、場所や時間を選ばずに、容易に体の状況を知ることができる。【００３３】  時間経過ともに変化する状態を的確に視覚的に表示することができるので、外出先や旅行先での事故や緊急時に、平常時の生体情報と検査結果判定情報を提示して、医師や主治医等に知らせることもできる。【００３４】  毎日の食事を通して、食事や食品毎に、カロリー、糖質、脂質等を効率よく管理することができるので、糖尿病、高血圧、高脂血症、メタボリックシンドローム等の生活習慣病の予防および管理を効率よく支援することができる。
したがって、たとえば、患者（患者予備軍）および家族の生活の質を効果的に維持したり向上させることができるとともに、医療費等の支出を効率よく抑えることができる。【００３５】  食事や食品から摂取するカロリー、糖質、脂質等を利用者が容易に把握できるので、健康を損なうことなく、ダイエットをすることができる。【００３６】  食事や食品から摂取するカロリー、糖質、脂質等を利用者に的確に提供することができるので、健康食品、医薬品、スポーツ用品、アパレル用品等の関連商品を効率よく販促することができる。
また、医療用途や、企業向け、個人向け、スポーツジム向け等の健康サポート用途や、生命保険会社向けソリューションおよび治験コーディネーター等の各セグメントに対して、共通のプラットフォームをベースとしながらも、個々のセグメント毎に最適化したユーザインターフェイスを備えることにより、利用する場面や利用者にとって使い勝手の良いサービスを提供することができる。
【発明を実施するための最良の形態】
【００３７】  以下、本発明の一実施の形態を詳細に説明する。本発明の生体情報管理システムは、基本的な手段として、通信網を活用して、パーソナルコンピュータ、ＰＤＡ、携帯電話機等の情報端末機に対して、▲１▼生活習慣病に関する啓蒙、▲２▼高脂血症、糖尿病、高血圧、アルコール中毒症、肝硬変、肺癌、大腸癌、乳癌、胃潰瘍、十二指腸潰瘍、骨粗鬆症等に関する情報提供、▲３▼ダイエット支援プログラム、糖尿病予備軍・高血圧予備軍向けレシピ、乳癌・大腸癌・骨粗鬆症予防食のレシピ関する情報の提供等の食事指導、カロリーおよび栄養バランス指導（たとえば、利用者自身が食事メニュー・リストから選択入力し、摂取カロリー及び栄養バランスを把握し、定型のコメントを提示したり、ＢＢＳまたは／およびＭＬによる交流と相互支援環境の提供、▲４▼有酸素運動、ヨガ、エアロビクス等の情報提供、健康管理プログラムで処方した運動メニュー（ウォーキング、ジョギング、サイクリング、水泳、縄跳び、スクワット、ダンベル体操、エアロビクス等）の達成度を数値入力により管理指導等の運動指導、▲５▼健康管理プログラムでの処方をベースに、食事指導と運動指導を組み合わせたりするダイエット・プログラム、▲６▼禁煙指導等である。【００３８】  図１および図２に示す本発明の実施するための最良の第１の実施例において、図１は本発明のインターネットやイントラネット等の通信網１を介した生体情報管理システム２のシステム構成の一例を示す概念図である。ここで、前記通信網１は有線、無線を問わず、情報を一方的あるいは双方向でやり取りできる環境であればよい。したがって、電子データだけでなく、データが記載された書類や該データを記録、記憶した記録媒体の受け渡しでもよい。【００３９】  図１に示すように、前記通信網１を介した生体情報管理システム２は、データベース３等に格納される時間経過データ４と体内の血液成分の種々のデータテーブル５とを比較する演算工程６、この演算工程６から血液中のアルコール、ニコチン、食事摂取および消費エネルギー量、血糖値、コレステロール、中性脂肪、塩分、アミノ酸等の含有量を算出し、時間経過データ４と比較して、上昇率、下降率等を算出する算出工程７、この算出工程７から算出されたデータを基にして、前記時間経過データ４と同時に視覚的に表現できる視覚化データ８を表示する表示工程９とを備え、処理演算することができる情報端末機１０と、前記表示工程９で表示される視覚化データ８をインターネットやイントラネット等を介して利用者端末機１１に送受信することができるＷｅｂサーバＰと、生体情報管理業務を制御する中央処理制御部１２とを備えている。【００４０】  前記演算工程６、算出工程７ならびに表示工程９は、前記中央処理制御部１２を介して従来と同様に処理され、これは通常に情報処理過程なので、ここでは詳細な説明は割愛する。
また、前記利用者端末機１１とは、携帯電話機、通信機能を備えたＰＤＡ（携帯型情報処理端末機）、パーソナルコンピュータ等の情報端末機である。
なお、各Ｗｅｂサーバや制御装置を接続するシステム等は、従来と同様のシステムを用いることも可能であり、あるいは、効率的な情報伝達方法やシステム等を利用、使用することも可能である。【００４１】  前記データテーブル５は、本実施例では、食品に含まれる糖質のデータテーブル５Ａで、演算工程６および算出工程７を介して、血糖をコントロールする指数を算出する。例えば、計算式を、血糖上昇（３０分後の血糖上昇）に関しては、食後３０分（１００ｇ）の血糖上昇率ＧＩ値と糖含有量（１００ｇ）の相関関数を算出する。
すなわち、糖質１００ｇ−１４０ｍｇ／ｄｌ、７５ｇ−１３０ｍｇ／ｄｌ、５０ｇ−１２０ｇ／ｄｌである。
血糖下降においては、糖の消費量を算出する。
睡眠時：６．５ｇ／ｈ；
平常時：１日の消費エネルギー÷２４÷２＝糖消費ｋｃａｌ÷４（１ｇ＝４ｃａｌ）＝糖消費ｇ／ｈ；
運動時：消費エネルギー÷２＝グルコース消費÷４（１ｇ＝４ｋｃａｌ）＝糖消費量ｇ；
という関係式で算出する。【００４２】  その後、演算工程６および算出工程７を介して得られたデータを、前記中央処理制御部１２を介して時間経過データ４と同時に視覚的に表現されたグラフとしての視覚化データ８を表示する。
グラフ化する場合には、糖質と血糖値の関係を以下のように関連付けることができる。
糖質            血糖値グラフ
２５０ｇ  −    ２００ｍｇ／ｄｌ
２２５ｇ  −    １９０ｍｇ／ｄｌ
２００ｇ  −    １８０ｍｇ／ｄｌ
１７５ｇ  −    １７０ｍｇ／ｄｌ
１５０ｇ  −    １６０ｍｇ／ｄｌ
１２５ｇ  −    １５０ｍｇ／ｄｌ
１００ｇ  −    １４０ｍｇ／ｄｌ
７５ｇ    −    １３０ｍｇ／ｄｌ
５０ｇ    −    １２０ｍｇ／ｄｌ
２５ｇ    −    １００ｍｇ／ｄｌ
０ｇ      −      ７０ｍｇ／ｄｌ
となり、図２に示すように、時間経過を加味して視覚化データ８としてのグラフを、表示工程を介して表示することができる。【００４３】  例えば、血糖コントロール指数は食品別に以下のように表示することができる。
［血糖コントロール指数（糖含有量）］
カテゴリー１穀物        ご飯３４      パン２９        ケーキ３１
カテゴリー２肉          焼鳥５        豚生姜焼き７    肉じゃが３９
カテゴリー３魚介類      鮭  ５        鯖味噌煮９      鯵マリネ４
カテゴリ−４豆製品      納豆５        豆腐２          五目豆２０
カテゴリー５乳製品      牛乳６        ヨーグルト１５  チーズ７
カテゴリー６卵          目玉焼き１    卵焼き５
カテゴリ−７野菜、果物  トマトマリネ５  キャベツ千切８  キンピラ１２
カテゴリー８汁物        味噌汁４        ワカメスープ２  コーンスープ２１【００４４】  さらに、利用者の体重データと比較して数値に示すと、１日の血糖コントロール指数上限を以下のように設定することができる。
体重５０ｋｇ以下      体重６０ｋｇ      体重７０ｋｇ      体重８０ｋｇ以上
朝  指数６０            指数６５          指数７０          指数７５
昼  指数４０            指数４５          指数５０          指数５５
夕  指数２０            指数２５          指数３０          指数３５【００４５】  したがって、例えばダイエットで、目標体重を１ヶ月で３ｋｇ〜５ｋｇ減に設定した場合、血糖をコントロールする指数を勘案し、
2008204418.tif 000003
という、提示ができるようになる。【００４６】  このような提示が可能になれば、ダイエットメニューを効率よく提示することができる。例えば以下のようになる。【００４７】ダイエットメニュー：１２００ｋｃａｌで必要糖質、タンパク質量を摂取
［朝食はしっかり糖質を取る］
2008204418.tif 000004
［昼食は魚、鶏肉、野菜、汁物でご飯、パン、麺抜き］
2008204418.tif 000005
2008204418.tif 000006
［夕食はタンパク質中心に］
2008204418.tif 000007
【００４８】  また、糖尿病に対しても、上記本発明のシステムを利用することにより、効率よく対処することができる。すなわち、血糖値を１００ｍｇ以下に下げることが糖尿病、体重管理には効果的であるので、現状の血糖値が把握できるとともに、食後の血糖値を時間経過とともに容易に把握することができるからである。
さらに、本実施例では、メタボリック症候群を改善することにも活用することができる。【００４９】  また、前記データベース５には、利用者の生体情報を記憶する生体データテーブル５Ｂを格納してもよく、この生体データテーブル５Ｂには、例えば、身長、体重、胸囲、胴囲、食生活、運動、飲酒の有無と量、喫煙の有無と量、動悸の有無、貧血の有無、冷え性の有無、頻尿か否か、便秘か否か、ストレスの程度等が記録され、また、職場等の定期健康診断の受診者等に関しては、検診データとして、体脂肪率、ＢＭＩ値、胸囲、胴囲、血圧、脈拍、心拍数、視力、聴力、心電図等や、生検として血糖値、ヘモグロビンＡ１ｃ値、中性脂肪値、総コレステロール値、尿酸値、γ−グロブリン値、γ−ＧＴＰ値等、画像としては胸部Ｘ線写真、ＣＴスキャン、ＭＲＩ、超音波診断、ＰＥＴデータ等で、前記時間経過データおよびデータテーブルと関連付けして記録することができる。【００５０】  さらに、前記データベース５には、食品や食材に関するカロリー、ビタミン、ミネラル、脂質、食物繊維等の基礎データが関連付けされて登録されている基礎データテーブル５Ｃが格納されていてもよい。この基礎データテーブル５Ｃは、利用者が摂取する食品や食材に対して、どの程度のカロリーやミネラル等を摂取したかを利用者に提示するデータとして用いられることはもちろんのこと、食品や食材自体に、どのくらいのカロリーがあるのか、どのくらいの脂質があるのか等の基礎データとして、利用者の要求に応じて前記中央処理制御部１２を介してグラフ表示、テキスト表示、帳票表示等で利用者に提供できるように処理することができる。【００５１】  前記表示工程９を介して表示される視覚化データ８は、利用者の要求により、あるいは任意に要求のあった利用者端末機１１に送信し、該利用者端末機１１の表示画面上で表示することができる。【００５２】  したがって、本発明の生体情報管理システム２は、通信網１としてのインターネット上で、利用者が端末機１１からアクセスできるとともに、プライバシーを考慮し、見せてもよい項目やデータ、見せられない項目やデータを選択的に組み合わせることにより各種ページを用意し、各人必要な項目を閲覧できるように、閲覧者に対応したページを用意することもできる。あるいは、全ての項目が記入されている基本データにアクセスできる利用者のアクセスコードに対応して、見せることができるデータを制限することができるように処理することも可能である。
また、本システムにおいて、課金するかどうかは状況に応じて導入する事項であって、課金システムを導入する場合には従来と同様あるいは効率のよいシステムを選択し導入することができる。
さらに、通信網１としてのインターネット経由によるシステムにより、アフィリエイトによる物販サイトへのリンクを張ることができるので、カロリーメーター、万歩計、体重計、体脂肪率計、特定保健用食品、オーガニック食材等の販売サイトへリンクさせることができるのはいうまでもないが、本システムに登録、利用しているユーザの目的、つまり健康に対して興味があり、ユーザが自分自身で健康管理をするという意思があるので、購買者として最適であるので、効率よく販売マーケティングすることができる。
【実施例】
【００５３】  次に、図３ないし図１９に示す本発明を実施するための異なる実施例につき説明する。なお、これらの本発明を実施するための異なる実施例の説明に当たって、前記本発明を実施するための最良の第１の実施例を同一構成部分には同一符号を付して重複する説明を省略する。【００５４】  図３に示す本発明を実施するための第２の実施例として、利用者に対して、前記演算工程６には、基準値に対してどの程度超過しているか等によって、適切なウォーキング、ジョギング、サイクリング、水泳、サッカー、野球、エアロビクス等の運動メニューを関連付けされた運動メニューテーブル５Ｄを備え、利用者の健康管理、運動プログラム、飲食物の摂取方法等のアドバイス、オピニオンを双方向で閲覧、提供できるシステムとして機能させることができる。【００５５】  生体情報管理システム２Ａの一例としては、データベース３等に格納される時間経過データ４、体内の血液成分の種々のデータテーブル、適切なウォーキング、ジョギング、サイクリング、水泳、縄跳び、エアロビクス等の運動メニューを関連付けされた運動メニューテーブル５Ｄとを比較する演算工程６Ａ、この演算工程６Ａから血液中のアルコール、ニコチン、食事摂取および消費エネルギー量、血糖値、コレステロール、中性脂肪、塩分、アミノ酸等の含有量を算出し、時間経過データ４と比較して、上昇率、下降率等を算出する算出工程６、この算出工程６から算出されたデータを基にして、前記時間経過データ４と同時に視覚的に表現できる視覚化データ８Ａを表示する表示工程９Ａとを備え、処理演算することができる情報端末機１０Ａと、前記表示工程９Ａで表示される視覚化データ８Ａをインターネットやイントラネット等を介して利用者端末機１１に送受信することができるＷｅｂサーバＰと、生体情報管理業務を制御する中央処理制御部１２とを備えている。【００５６】  前記運動メニューテーブル５Ｄは、基準値の超過率に対応した運動メニューを利用者端末機に送信して表示することも可能である。この場合には、基準値に対してどの程度超過しているかによって、適切な運動メニュー（ウォーキング、ジョギング、サイクリング、スイミング、ダンス、縄跳び、エアロビクス、サッカー、野球、テニス、ゴルフ、スキー等）を関連付けして記録された運動メニューテーブル５Ｄが前記情報端末機１０Ａのデータベース３に格納される。
この運動メニューテーブル５Ｄには、カロリーを消費する基礎的な運動はもちろんのこと、例えば適当な散歩コース情報、サイクリング情報や地図情報等とも関連付けされて登録されていてもよい。【００５７】  運動の種類にも色々あるが、例えばラニングは、脚の循環運動により地面を蹴って前へ進む単純な動作により構成されていて、取り組みやすい代表的な有酸素運動であり、心拍数を調整して行えばダイエットにも有効である。水泳は水の影響（浮力、抵抗、水圧）を大きく受ける運動種目で、浮力は足、腰の負担を軽減させ、抵抗は筋力の適度な負荷に、水圧は呼吸循環器に刺激を与えるので老若男に適した健康運動である。自転車は体重がペダル、ハンドル、サドルに分散されるので足腰に優しく長時間続けられる運動で、有酸素運動、筋力アップ、バランス感覚が同時に養えるばかりでなくストレス解消にも適した運動である。サッカーは広いグラウンドを縦横無尽に走リシュートするといったように瞬発力が必要な種目で、９０分間走り続ける持久力、ボールをコントロールしながら左右にサイドステップするスピード、そして力強くシュートするパワー等、総合的な体力が必要な種目である。野球は、打つ、投げる、走る、捕るといった様々な動作が要求される野球は短時間に力を発揮できるスピード、パワーが必要で、攻守に別れインターバルも多いことから体力の低い少年期、壮年期のプレーヤーでも対応できる種目である。テニスは、コートを縦、横に素早く走りラケットを使用してボールを相手のコートに打ち返す種目である。サーブ、ストローク、ボレー、スマッシュといったように瞬時に打つ動作が主体だが、長時間ゲームが続くこともあり持久力も必要な要素である。
これらの運動にも種目によって、体調管理の目的によって、組み合わせて提案できるものであり、本発明に関連させて利用者に提案できれば、効率よく利用できるものである。【００５８】  また、運動という観点から、例えば、筋肉の動きや使い方等をコンピュータグラフィックで処理し、利用者にデータを提供することもできる。これにより、利用者は意識して筋肉使うようになり、体調管理により一層貢献することができる。【００５９】  したがって、本発明の実施例では、食事療法を支援するレシピや運動療法を支援するエクササイズを掲載することにより、総合的に体調管理ポータルに発展させることができる。【００６０】  図４および図５に示す本発明を実施するための第３の実施例として、データベース３等に格納される時間経過データ４と体内の血液成分の種々のデータテーブルとを比較する演算工程６Ｂにおいて、ビール、ワイン、ウイスキー、日本酒、焼酎等のアルコール度数のアルコールデータテーブル５Ｅを備え、利用者のアルコール耐性および体重を基準として、該演算工程６Ｂで適切なアルコール指数を算出することができ、血中アルコール濃度と時間経過を表示工程９Ｂを介して視覚化データ８Ｂとして表示することができる。【００６１】  生体情報管理システム２Ｂの一例としては、データベース３等に格納される時間経過データ４、体内の血液成分の種々のデータテーブルとしての、ビール、ワイン、ウイスキー、日本酒、焼酎等のアルコール度数に関連するアルコールデータテーブル５Ｅとを比較する演算工程６Ｂ、この演算工程６Ｂから血液中のアルコール含有量を算出し、時間経過データ４と比較して、上昇率、下降率等を算出する算出工程７、この算出工程７から算出されたデータを基にして、前記時間経過データ４と同時に視覚的に表現できる視覚化データ８Ｂを表示する表示工程９Ｂとを備え、処理演算することができる情報端末機１０Ｂと、前記表示工程９Ｂで表示される視覚化データ８Ｂをインターネットやイントラネット等を介して利用者端末機１１に送受信することができるＷｅｂサーバＰと、生体情報管理業務を制御する中央処理制御部１２とを備えている。【００６２】  血中アルコール濃度の算出式は以下の通りである。
2008204418.tif 000008
2008204418.tif 000009
【００６３】  また、１時間当たりのアルコール消費量算出方法は、
Ｘ（ｇ／ｈ）＝Ｃ＊体重（ｋｇ）
Ｘ：アルコール消費速度（ｇ／ｈ）
注：Ｃ＝０．１〜０．１５
お酒に対する耐性が出来ている人Ｃ＝０．１５
お酒に弱くなったと答えた人  Ｃ＝０．１
である。
なお上記のアルコール耐性については、飲酒頻度の設問、飲酒スピードの設問、食事内容の設問、体調の設問等を設け、設問の平均で５段階評価（０．１〜０．５）のスコアリングをするようにする。【００６４】  本実施例においては、図５に示すように、血中アルコール濃度変動グラフ８Ｂをアルコール量と時間経過で表示することができるので、指定時間までに消費できるアルコール量、飲酒に適したメニュー（高血圧、糖尿病、高脂血症）、二日酔い対策、あるいはダイエットアルコールメニュー等を利用者に効率よく提供することができる。
また、血中アルコール濃度が把握できるようにアルコール濃度と量でスコア化することができる。例えば以下の通りである。
2008204418.tif 000010
【００６５】  さらに、上記スコアを基準にして、利用者に対して、翌日の起床時間までにアルコールが分解される量、例えば、
ビール      大瓶００    中瓶００    缶５００ｃｃ００    缶３５０ｃｃ００
ウイスキー  シングル００    ダブル００
ワイン      グラス００
焼酎        ジョッキ００    グラス００
カクテル    グラス００    ハーフボトル００    ボトル００
等とを利用者に提示することができる。【００６６】  そして、アルコール吸収率を下げ、ダイエットに有効なおつまみとして、
海藻、繊維質：    ワカメサラダ００    ヒジキ００
乳製品：          チーズ００          ヨーグルト００
植物性タンパク：  枝豆００            豆腐ステーキ００
等のスコアを提示することにより、利用者は安心してアルコールおよび食品を摂取することができる。【００６７】  上記のようにスコア化することによって、利用者に対して、商談時に正常な判断ができるコントロール指数は００、４時間後に正常値に戻すコントロール指数は００、二日酔い予防のコントロール指数００まで、等と指数として情報を提供することができる。【００６８】  図６および図７に示す本発明を実施するための第４の実施例として、データベース３等に格納される時間経過データ４と体内の血液成分の種々のデータテーブルとを比較する演算工程６Ｃにおいて、煙草の本数による血中ニコチンの濃度を関連付けるニコチンデータテーブル５Ｆを備え、該演算工程６Ｃで適切な血中ニコチン濃度指数を算出することができ、血中ニコチン濃度指数と時間経過を表示工程９Ｃを介して視覚化データ８Ｃとして表示することができる。【００６９】  生体情報管理システム２Ｃの一例としては、データベース３等に格納される時間経過データ４、体内の血液成分の種々のデータテーブルとしての、煙草の本数による血中ニコチンの濃度を関連付けるニコチンデータテーブル５Ｆとを比較する演算工程６Ｃ、この演算工程６Ｃから血液中のニコチン含有量を算出し、時間経過データ４と比較して、上昇率、下降率等を算出する算出工程７、この算出工程７から算出されたデータを基にして、前記時間経過データ４と同時に視覚的に表現できる視覚化データ８Ｃを表示する表示工程９Ｃとを備え、処理演算することができる情報端末機１０Ｃと、前記表示工程９Ｃで表示される視覚化データ８Ｃをインターネットやイントラネット等を介して利用者端末機１１に送受信することができるＷｅｂサーバＰと、生体情報管理業務を制御する中央処理制御部１２とを備えている。【００７０】  本実施例では、例えば、
2008204418.tif 000011
のように、血中ニコチン濃度が把握できるように煙草の本数と時間経過でスコア化する。
当然、図７に示すように、血中ニコチン濃度の視覚化データ８Ｃは、煙草をすった直後から増加し、時間経過と共に下降する。【００７１】  前記表示工程９Ｃにより表示される、視覚化データ８Ｃを利用者の端末機１１に表示することにより、利用者の禁煙に対する意識の向上を、容易に促すことができる。【００７２】  図８に示す本発明を実施するための第５の実施例として、データベース３等に格納される時間経過データ４と体内の血液成分の種々のデータテーブルとを比較する演算工程６Ｄにおいて、食品摂取エネルギーおよび消費エネルギーを関連付けるエネルギーデータテーブル５Ｇを備え、該演算工程６Ｄで適切なエネルギーコントロール指数を算出することができ、エネルギーコントロール指数と時間経過を表示工程９Ｄを介して視覚化データ８Ｄとして表示することができる。
したがって、その摂取および消費の変動を視覚化データ８Ｄとしてのグラフで表し、利用者を減量に導くことできる。【００７３】  生体情報管理システム２Ｄの一例としては、データベース３等に格納される時間経過データ４、体内の血液成分の種々のデータテーブルとしての、食品摂取エネルギーおよび消費エネルギーを関連付けるエネルギーデータテーブル５Ｇとを比較する演算工程６Ｄ、この演算工程６Ｄから食品摂取エネルギーおよび消費エネルギー指数を算出し、時間経過データ４と比較して、上昇率、下降率等を算出する算出工程７、この算出工程７から算出されたデータを基にして、前記時間経過データ４と同時に視覚的に表現できる視覚化データ８Ｄを表示する表示工程９Ｄとを備え、処理演算することができる情報端末機１０Ｄと、前記表示工程９Ｄで表示される視覚化データ８Ｄをインターネットやイントラネット等を介して利用者端末機１１に送受信することができるＷｅｂサーバと、生体情報管理業務を制御する中央処理制御部１２とを備えている。【００７４】  前記食品摂取エネルギーは、所定のエネルギー所要量を引用し飲食物を積算する。前記消費エネルギーは、基礎代謝に関しては係数×体重、生活代謝に関しては係数×体重×時間、運動時に関しては係数×体重×時間によって算出する。
すなわち、食事指数の計（摂取エネルギー）でエネルギー上昇を算出し、運動指数の計（消費エネルギー）でエネルギー下降を算出することになる。
前記食事指数とは、例えば、
カテゴリー１穀物          ご飯００      パン００        ケーキ００
カテゴリー２肉            焼鳥００      ステーキ００    牛丼００
カテゴリー３魚介類        鮭００        秋刀魚００      鯵００
カテゴリ−４豆製品        納豆００      豆腐００        煮豆００
カテゴリー５乳製品        牛乳００      豆乳００        ヨーグルト００
カテゴリー６卵            鶏卵００      ウズラ００
カテゴリ−７野菜、果物    サラダ００    ヒジキ豆００    みかん００
カテゴリー８汁物          味噌汁００    卵スープ００    コーンスープ００
のように示すことができる。
一方、前記運動指数とは、例えば、
2008204418.tif 000012
のように示すことができる。
したがって、本実施例のエネルギーコントロール指数は、利用者の体重、性別、年齢から算出された適切な食事、運動エネルギーコントロール指数を提示することができる。【００７５】  ダイエットは食事量と運動量のバランスが重要なポイントになる。本実施例のエネルギーコントロール指数を用いることにより、例えば、１日の摂取量と消費量を管理し目標体重（１ヶ月で１、２、３ｋｇ減）へのエネルギー指数を視覚的に提示することが可能になる。【００７６】  図９に示す本発明を実施するための第６の実施例として、データベース３等に格納される時間経過データ４と体内の血液成分の種々のデータテーブルとを比較する演算工程６Ｅにおいて、食材別に中性脂肪およびコレステロール指数を関連付ける中性脂肪およびコレステロールコントロールデータテーブル５Ｈを備え、該演算工程６Ｅで適切な中性脂肪およびコレステロール指数を算出することができ、中性脂肪およびコレステロール指数と時間経過を表示工程９Ｅを介して視覚化データ８Ｅとして表示することができる。
したがって、その中性脂肪およびコレステロールの変動を視覚化データ８Ｅとしてのグラフで表し、利用者を減量に導くことできる。【００７７】  生体情報管理システム２Ｅの一例としては、データベース等に格納される時間経過データ４、体内の血液成分の種々のデータテーブルとしての、食材別に中性脂肪およびコレステロール指数を関連付ける中性脂肪およびコレステロールコントロールデータテーブル５Ｈとを比較する演算工程６Ｅ、この演算工程６Ｅから血液中の脂質含有量を算出し、時間経過データ４と比較して、上昇率、下降率等を算出する算出工程７、この算出工程７から算出されたデータを基にして、前記時間経過データ４と同時に視覚的に表現できる視覚化データ８Ｅを表示する表示工程９Ｅとを備え、処理演算することができる情報端末機１０Ｅと、前記表示工程９Ｅで表示される視覚化データ８Ｅをインターネットやイントラネット等を介して利用者端末機１１に送受信することができるＷｅｂサーバＰと、生体情報管理業務を制御する中央処理制御部１２とを備えている。【００７８】  本実施例では、体内で中性脂肪およびコレステロールをコントロールできないと肥満、高脂血症へ発展するので、中性脂肪、コレステロール指数を食事と運動のバランスで変動するデータとともに、時間経過を表示工程９Ｅを介して視覚化データ８Ｅとして表示することができる。
例えば、高脂血症は、脂質の代謝機能が低下した状態で改善するためには中性脂肪、コレステロールを正常に保つことがポイントになるので、中性脂肪、コレステロールの変動を視覚化データ８Ｅとしてのグラフで表し、利用者の体質改善を効率よく促すことができる。【００７９】  また、中性脂肪およびコレステロール指数を効果的に活用するために、血糖値をコントロールできるように食材をスコア化する。例えば、以下のように表示することができる。
2008204418.tif 000013
１、３ｋｇ減量のコントロール指数は００
２、高脂血症に有効なコントロール指数は００
３、睡眠までに消費できるコントロール指数は００【００８０】  したがって、本実施例の中性脂肪およびコレステロール指数を利用して、利用者に高脂血症予防食やダイエットメニューを提供することができる。【００８１】  図１０および図１１に示す本発明を実施するための第７の実施例として、データベース３等に格納される時間経過データ４と体内の血液成分の種々のデータテーブル５とを比較する演算工程６Ｆにおいて、食材別にアミノ酸量を関連付けるアミノ酸コントロールデータテーブル５Ｉを備え、該演算工程６Ｆで適切なアミノ酸コントロール指数を算出することができ、中性脂肪およびコレステロール指数と時間経過を表示工程９Ｆを介して視覚化データ８Ｆとして表示することができる。
したがって、図１１に示すように、アミノ酸量の変動を視覚化データ８Ｆとしてのグラフで表し、利用者を筋肥大化に導くことできる。【００８２】  生体情報管理システム２Ｆの一例としては、データベース３等に格納される時間経過データ４、体内の血液成分の種々のデータテーブルとしての、食材別にアミノ酸量を関連付けるアミノ酸コントロールデータテーブル５Ｉとを比較する演算工程６Ｆ、この演算工程６Ｆから血液中のアミノ酸量を算出し、時間経過データ４と比較して、上昇率、下降率等を算出する算出工程７、この算出工程７から算出されたデータを基にして、前記時間経過データ４と同時に視覚的に表現できる視覚化データ８Ｆを表示する表示工程９Ｆとを備え、処理演算することができる情報端末機１０Ｆと、前記表示工程９Ｆで表示される視覚化データ８Ｆをインターネットやイントラネット等を介して利用者端末機１１に送受信することができるＷｅｂサーバＰと、生体情報管理業務を制御する中央処理制御部１２とを備えている。【００８３】  したがって、本実施例では、アミノ酸は身体を構成する最も重要な栄養素であり、スポーツ活動、身体づくりにおいてアミノ酸は摂取量、タイミングがポイントなるので、時間経過を反映させて表示工程９Ｆを介して視覚化データ８Ｆとして表示することができるとともに、アミノ酸をコントロールする食事と筋肥大の運動メニューを利用者に分かりやすいように提供することができる。【００８４】  また、アミノ酸コントロール指数を効果的に活用するために、アミノ酸をコントロールできるように食材をスコア化する。例えば、以下のように表示することができる。
2008204418.tif 000014
2008204418.tif 000015
１、就寝前３ｋｇ筋量アップのアミノ酸指数は００
２、練習前のアミノ酸指数は００
３、筋力トレーニング後のアミノ酸指数は００【００８５】  図１２および図１３に示す本発明を実施するための第８の実施例として、データベース３等に格納される時間経過データ４と体内の血液成分の種々のデータテーブルとを比較する演算工程６Ｇにおいて、食材別に塩分量を関連付ける塩分コントロールデータテーブル５Ｊを備え、該演算工程６Ｇで適切な塩分コントロール指数を算出することができ、塩分コントロール指数と時間経過を表示工程９Ｇを介して視覚化データ８Ｇとして表示することができる。
したがって、図１３に示すように、塩分量の変動を視覚化データ８Ｇとしてのグラフで表し、利用者の高血圧等の症状を緩和に導くことできる。【００８６】  生体情報管理システムの一例としては、データベース３等に格納される時間経過データ４、体内の血液成分の種々のデータテーブルとしての、食材別に塩分量を関連付ける塩分コントロールデータテーブル５Ｊとを比較する演算工程６Ｇ、この演算工程６Ｇから血液中の塩分量を算出し、時間経過データ４と比較して、上昇率、下降率等を算出する算出工程７、この算出工程７から算出されたデータを基にして、前記時間経過データ４と同時に視覚的に表現できる視覚化データ８Ｇを表示する表示工程９Ｇとを備え、処理演算することができる情報端末機１０Ｇと、前記表示工程９Ｇで表示される視覚化データ８Ｇをインターネットやイントラネット等を介して利用者端末機１１に送受信することができるＷｅｂサーバＰと、生体情報管理業務を制御する中央処理制御部１２とを備えている。【００８７】  また、塩分コントロール指数を効果的に活用するために、塩分をコントロールできるように食材をスコア化する。例えば、以下のように表示することができる。
2008204418.tif 000016
１、高血圧に有効な塩分指数は００【００８８】  図１４および図１５に示す本発明を実施するための第９の実施例として、データベース３等に格納される時間経過データ４と体内の血液成分の種々のデータテーブルとを比較する演算工程６Ｈにおいて、食材別にカロリー量を関連付けるカロリーコントロールデータテーブル５Ｋを備え、該演算工程６Ｈで適切なカロリーコントロール指数を算出することができ、カロリーコントロール指数と時間経過を表示工程９Ｈを介して視覚化データ８Ｈとして表示することができる。
したがって、そのカロリー量の変動を視覚化データ８Ｈとしてのグラフで表し、利用者にダイエットメニューや運動メニューを効率よく提供することができる。【００８９】  生体情報管理システム２Ｈの一例としては、データベース３等に格納される時間経過データ４、体内の血液成分の種々のデータテーブルとしての、食材別にカロリー量を関連付けるカロリーコントロールデータテーブル５Ｋとを比較する演算工程６Ｈ、この演算工程６Ｈからカロリー量を算出し、時間経過データ４と比較して、上昇率、下降率等を算出する算出工程７、この算出工程７から算出されたデータを基にして、前記時間経過データ４と同時に視覚的に表現できる視覚化データ８Ｈを表示する表示工程９Ｈとを備え、処理演算することができる情報端末機１０Ｈと、前記表示工程９Ｈで表示される視覚化データ８Ｈをインターネットやイントラネット等を介して利用者端末機１１に送受信することができるＷｅｂサーバＰと、生体情報管理業務を制御する中央処理制御部１２とを備えている。【００９０】  また、カロリーコントロール指数を効果的に活用するために、カロリーをコントロールできるように食材をスコア化する。例えば、以下のように表示することができる。
2008204418.tif 000017
１、３ｋｇ減量のカロリーコントロール指数は００
２、糖尿病に有効なカロリーコントロール指数は００
３、睡眠までに消費できるカロリーコントロール指数は００【００９１】  図１６および図１７に示す本発明を実施するための第１０の実施例として、データベース３等に格納される時間経過データ４と体内の血液成分の種々のデータテーブルとを比較する演算工程６１において、食材別の脂質含有量および脂質消費量を関連付ける脂質コントロールデータテーブル５Ｌを備え、該演算工程６Ｉで適切な脂質指数を算出することができ、この脂質指数と時間経過を表示工程９Ｉを介して視覚化データ８Ｉとして表示することができる。
したがって、図１７に示すように、脂質の変動を視覚化データ８Ｉとしてのグラフで表し、利用者を減量に導くことできる。【００９２】  生体情報管理システム２Ｉの一例としては、データベース３等に格納される時間経過データ４、体内の血液成分の種々のデータテーブルとしての、食材別の脂質含有量および脂質消費量を関連付ける脂質コントロールデータテーブル５Ｌとを比較する演算工程７、この演算工程６Ｉから脂質含有量を算出し、時間経過データ４と比較して、上昇率、下降率等を算出する算出工程７、この算出工程７から算出されたデータを基にして、前記時間経過データ４と同時に視覚的に表現できる視覚化データ８Ｉを表示する表示工程９Ｉとを備え、処理演算することができる情報端末機１０Ｉと、前記表示工程９Ｉで表示される視覚化データ８Ｉをインターネットやイントラネット等を介して利用者端末機１１に送受信することができるＷｅｂサーバＰと、生体情報管理業務を制御する中央処理制御部１２とを備えている。【００９３】  前記脂質消費（ｇ）は、平常時については、１日の消費エネルギー÷２４×２５／１００＝脂質ｋｃａｌ÷７．２（１ｇ＝７．２ｋｃａｌ）ｇで算出することができ、運動時においては、消費エネルギー÷２＝脂質ｋｃａｌ÷７．２（１ｇ＝７．２ｋｃａｌ）ｇで算出することができる。【００９４】  本実施例では、メタボリック症候群を改善することにも活用することができる。【００９５】  図１８に示す本発明を実施するための第１１の実施例として、データベース３等に格納される時間経過データ４と体内の血液成分の種々のデータテーブルとを比較する演算工程６Ｊにおいて、食材別のタンパク質含有量（ｇ）およびタンパク質消費量を関連付けるタンパク質コントロールデータテーブル５Ｍを備え、該演算工程６Ｊで適切な指数を算出することができ、タンパク質量と時間経過を表示工程９Ｊを介して視覚化データ８Ｊとして表示することができる。【００９６】  生体情報管理システム２Ｊの一例としては、データベース３等に格納される時間経過データ４、体内の血液成分の種々のデータテーブルとしての、食材別のタンパク質含有量（ｇ）およびタンパク質消費量を関連付けるタンパク質コントロールデータテーブル５Ｍとを比較する演算工程６Ｊ、この演算工程６Ｊからタンパク質含有量（ｇ）およびタンパク質消費量を算出する算出工程７、この算出工程７から算出されたデータを基にして、視覚的に表現できる視覚化データ８Ｊを表示する表示工程９Ｊとを備え、処理演算することができる情報端末機１０Ｊと、前記表示工程９Ｊで表示される視覚化データ８Ｊをインターネットやイントラネット等を介して利用者端末機１１に送受信することができるＷｅｂサーバＰと、生体情報管理業務を制御する中央処理制御部１２とを備えている。【００９７】  タンパク質消費（ｇ）は、平常時においては、１日の消費エネルギー÷２４×１５／１００＝タンパク質ｋｃａｌ÷４（１ｇ＝４ｋｃａｌ）ｇで算出することができ、運動時においては、消費エネルギー×１５／１００＝タンパク質ｋｃａｌ÷４（１ｇ＝４ｋｃａｌ）ｇで算出することができる。【００９８】  したがって、タンパク質の摂取量を視覚化データ８Ｊで表示し、利用者のトレーニン��に効率よく活用することができる。【００９９】  図１９に示す本発明を実施するための第１２の実施例として、データベース３等に格納される利用者の生体情報の種々のデータテーブルを比較する演算工程６Ｋにおいて、体重と体脂肪率（筋重量）を関連付ける筋肉コントロールデータテーブル５Ｎを備え、該演算工程６Ｋで適切な指数を算出することができ、体重と体脂肪率（筋重量）から算出されるマッスルウェイトレシオを表示工程９Ｋを介して視覚化データ８Ｋとして表示することができる。【０１００】  生体情報管理システム２Ｋの一例としては、データベース３等に格納される、利用者の生体情報の種々のデータテーブルとしての、体脂肪率（筋重量）を関連付ける筋肉コントロールデータテーブル５Ｎと利用者の体重を比較する演算工程６Ｋ、この演算工程６Ｋからマッスルウェイトレシオを算出する算出工程７、この算出工程７から算出されたデータを基にして、視覚的に表現できる視覚化データ８Ｋを表示する表示工程９Ｋとを備え、処理演算することができる情報端末機１０Ｋと、前記表示工程９Ｋで表示される視覚化データ８Ｋをインターネットやイントラネット等を介して利用者端末機１１に送受信することができるＷｅｂサーバＰと、生体情報管理業務を制御する中央処理制御部１２とを備えている。【０１０１】  本実施例のマッスルウェイトレシオとは、徐脂肪重量（筋重量）１ｋｇに対して支えている体重を表している。この数字が１に近づくほど身体活動が有利に働き活動的な生活を送れることを意味している。体重と体脂肪率（筋重量）を当てはめだけで算出できるので新しい体力指数として活用されることも期待される。【０１０２】  体重は、食事の摂取エネルギー過剰、運動不足等の要因で増加し、余剰エネルギーが体脂肪として蓄積されていく。肥満を放置しておくと動脈硬化、糖尿病、高脂肪血症に発展するリスクが高まる。体重をコントロールするためには食事、運動習慣を改善することが重要だが、減量は脂肪減少ばかりでなく血圧、血液成分も改善され、生活習慣病予防に有効であることは多く研究報告されている。
したがって、本実施例のシステムを利用することにより、日常生活にとどまらず、スポーツ選手等に対する筋力トレーニング等にも有効に利用されることができる。【０１０３】  上記マッスルウェイトレシオ指数を算出する場合には、以下の方法がる。
１．肪重量からマッスルウェイトレシオを算出
2008204418.tif 000018
２．筋重量からマッスルウェイトレシオを算出
2008204418.tif 000019
３．筋力からマッスルパワー・ウエイトレシオを算出
2008204418.tif 000020
【０１０４】  また、マッスルパワーは大腿四頭筋の断面積（平均６ｋｇ／ｃｍ２）で算出（絶対筋力）または脚伸展パワーで算出（スピード×力）することができる。
例えば、利用者が男性で、体重が７０ｋｇの場合、
体脂肪率                ３０％        ２０％        １０％    ５％
マッスルウェイトレシオ  １．４３      １．２５      １．１    １．０５
肥満ゾーン    健康ゾーン    アスリートゾーン
と、算出することができる。
また、利用者が女性で、体重が５０ｋｇの場合、
体脂肪率                ４０％        ３０％        ２０％    １０％
マッスルウェイトレシオ    １．６６    １．４２      １．２５    １．１１
肥満ゾーン    健康ゾーン      アスリートゾーン
と算出することができる。【０１０５】  上記のように、それぞれのマッスルウェイトレシオを算出し、効率よく筋肉量および脂肪量を関連付けて表示工程９Ｋを介して表示することができる。
したがって、本実施例を活用することにより、日常活動においても、視覚化して活用ができる。すなわち、
2008204418.tif 000021
【０１０６】  本システムにおいては、上記の個々の実施例のシステムを複合的に組み合わせて処理することもでき、また、任意に、あるいは利用者の希望により選択的に組み合わせて処理することも可能である。【０１０７】  また、本発明は上記実施例に限らず、利用者が本システムにアクセスした後に、利用者の携帯電話機やパーソナルコンピュータ等の情報端末機１０に、摂取した食事、食品、食材等を入力する登録画面を前記中央処理制御部１２を介して表示し、該登録画面で入力された食事、食品、食材等のデータを、食品や食材に関するカロリー、ビタミン、ミネラル、脂質、食物繊維等の基礎データテーブルと前記中央処理制御部１２を介して照合した後、利用者の情報端末機１１に基礎データが送信され、表示するように処理することもできる。
この場合、前記中央処理制御部１２を介して利用者が所望するデータを視覚化データ８としてのグラフ表示テキスト表示、または帳票表示等、選択的に処理することもできる。【０１０８】  また、本発明の生体情報管理システムを利用し、さまざまな利用方法が可能になる。【０１０９】  一例として、通信網としてのインターネット上で、利用者（登録者）をアニメーションや架空人物等のアバターとして選択登録できるように、複数種類のキャラクターやアニメーションを選択できるようにすることもできる。
この場合、前記中央処理制御部１２を介して、たとえば、カロリーの摂取状況により、アバターの表情や体型を少し太っている状態に表示したり、痩せさせた状態で表示したり、グラフィック処理をして表示することができる。【０１１０】  また、利用者の体調データは一元管理することもでき、電子カルテや電子画像等と連帯も可能である。【０１１１】  また、スポーツジム等で本発明のシステムを活用することができ、必要なデータを本システムを介して会員カードに出力し記憶しておき、スポーツジムで会員カードを端末機に通した場合、運動メニューの構築等の二次的利用をすることができるとともに、利用頻度や、例えば、カロリー消費等の目標クリア等に応じてポイントを付与したり、ゲーム性を持たせた本システムの利用も、提案することができる。【０１１２】  以上、本発明の実施の形態を詳細に説明したが、本発明は、その精神または主要な特徴から逸脱することなく、他の色々な形で実施することができる。そのため、前述の実施例はあらゆる点で単なる例示にすぎず、限定的に解釈してはならない。また、各実施例に使用された構成を組み合わせて使用しても同様な作用効果が得られる。さらに、本発明の範囲は、特許請求の範囲によって示すものであって、明細書本文には何ら拘束されない。さらに特許請求の範囲の均等範囲に属する変形や変更は、全て本発明の範囲のものである。
【産業上の利用可能性】
【０１１３】  本発明はインターネットやイントラネット等の通信網を介した生体情報管理システムに関し、測定あるいは入力等をした生体情報と所定のデータ等を基準にして、時間経過とともに、あるいは時間経過に関係なく変化するデータを視覚化して利用者に提供し、体質や体調等の改善を促すことができる生体情報管理システムを利用、実行等をする産業や業界で利用される。
【図面の簡単な説明】
【０１１４】
【図１】本発明を実施するための最良の第１の実施例のシステム構成の一例を示す概念図。
【図２】本発明を実施するための最良の第１の実施例の血糖値変動グラフの参考図。
【図３】本発明を実施するための第２の実施例のシステム構成の一例を示す概念図。
【図４】本発明を実施するための第３の実施例のシステム構成の一例を示す概念図。
【図５】本発明を実施するための第３の実施例の血中アルコール濃度変動グラフの参考図。
【図６】本発明を実施するための第４の実施例のシステム構成の一例を示す概念図。
【図７】本発明を実施するための第４の実施例の血中ニコチン濃度変動グラフの参考図。
【図８】本発明を実施するための第５の実施例のシステム構成の一例を示す概念図。
【図９】本発明を実施するための第６の実施例のシステム構成の一例を示す概念図。
【図１０】本発明を実施するための第７の実施例のシステム構成の一例を示す概念図。
【図１１】本発明を実施するための第７の実施例のアミノ酸変動グラフの参考図。
【図１２】本発明を実施するための第８の実施例のシステム構成の一例を示す概念図。
【図１３】本発明を実施するための第８の実施例の塩分量変動グラフの参考図。
【図１４】本発明を実施するための第９の実施例のシステム構成の一例を示す概念図。
【図１５】本発明を実施するための第９の実施例のカロリー量変動グラフの参考図。
【図１６】本発明を実施するための第１０の実施例のシステム構成の一例を示す概念図。
【図１７】本発明を実施するための第１０の実施例の中性脂肪およびコレステロール量の変動グラフの参考図。
【図１８】本発明を実施するための第１１の実施例のシステム構成の一例を示す概念図。
【図１９】本発明を実施するための第１２の実施例のシステム構成の一例を示す概念図。
【符号の説明】
【０１１５】１：通信網、
２、２Ａ〜２Ｋ：生体情報管理システム、
３：データベース、
４：時間経過データ、
５：データテーブル、
５Ａ：糖質データテーブル、
５Ｂ：生体データテーブル、
５Ｃ：基礎データテーブル、
５Ｄ：運動メニューテーブル、
５Ｅ：アルコールデータテーブル、
５Ｆ：ニコチンデータテーブル、
５Ｇ：エネルギーデータテーブル、
５Ｈ：中性脂肪およびコレステロールコントロールデータテーブル、
５Ｉ：アミノ酸コントロールデータテーブル、
５Ｊ：塩分コントロールデータテーブル、
５Ｋ：カロリーコントロールデータテーブル、
５Ｌ：脂質コントロールデータテーブル、
５Ｍ：タンパク質コントロールデータテーブル、
５Ｎ：筋肉コントロールデータテーブル、
６、６Ａ〜６Ｋ：演算工程、
７：算出工程、
８、８Ａ〜８Ｋ：視覚化データ、
９、９Ａ〜９Ｋ：表示工程、
１０、１０Ａ〜１０Ｋ：情報端末機、
１１：利用者端末機、
１２：中央処理制御部、
Ｐ：Ｗｅｂサーバ。
【図１】
2008204418.tif 000022
【図２】
2008204418.tif 000023
【図３】
2008204418.tif 000024
【図４】
2008204418.tif 000025
【図５】
2008204418.tif 000026
【図６】
2008204418.tif 000027
【図７】
2008204418.tif 000028
【図８】
2008204418.tif 000029
【図１０】
2008204418.tif 000030
【図１１】
2008204418.tif 000031
【図１２】
2008204418.tif 000032
【図１３】
2008204418.tif 000033
【図１４】
2008204418.tif 000034
【図１５】
2008204418.tif 000035
【図１６】
2008204418.tif 000036
【図１７】
2008204418.tif 000037
【図１８】
2008204418.tif 000038
【図１９】
2008204418.tif 000039
【手続補正書】
【提出日】平成19年4月27日(2007.4.27)
【手続補正１】
【補正対象書類名】明細書
【補正対象項目名】０１１４
【補正方法】変更
【補正の内容】
【０１１４】
【図１】本発明を実施するための最良の第１の実施例のシステム構成の一例を示す概念図。
【図２】本発明を実施するための最良の第１の実施例の血糖値変動グラフの参考図。
【図３】本発明を実施するための第２の実施例のシステム構成の一例を示す概念図。
【図４】本発明を実施するための第３の実施例のシステム構成の一例を示す概念図。
【図５】本発明を実施するための第３の実施例の血中アルコール濃度変動グラフの参考図。
【図６】本発明を実施するための第４の実施例のシステム構成の一例を示す概念図。
【図７】本発明を実施するための第４の実施例の血中ニコチン濃度変動グラフの参考図。
【図８】本発明を実施するための第５の実施例のシステム構成の一例を示す概念図。
【図９】本発明を実施するための第６の実施例のシステム構成の一例を示す概念図。
【図１０】本発明を実施するための第７の実施例のシステム構成の一例を示す概念図。
【図１１】本発明を実施するための第７の実施例のアミノ酸変動グラフの参考図。
【図１２】本発明を実施するための第８の実施例のシステム構成の一例を示す概念図。
【図１３】本発明を実施するための第８の実施例の塩分量変動グラフの参考図。
【図１４】本発明を実施するための第９の実施例のシステム構成の一例を示す概念図。
【図１５】本発明を実施するための第９の実施例のカロリー量変動グラフの参考図。
【図１６】本発明を実施するための第１０の実施例のシステム構成の一例を示す概念図。
【図１７】本発明を実施するための第１０の実施例の中性脂肪およびコレステロール量の変動グラフの参考図。
【図１８】本発明を実施するための第１１の実施例のシステム構成の一例を示す概念図。
【図１９】本発明を実施するための第１２の実施例のシステム構成の一例を示す概念図。
【手続補正２】
【補正対象書類名】図面
【補正対象項目名】全図
【補正方法】変更
【補正の内容】
【図１】
2008204418.tif 000040
【図２】
2008204418.tif 000041
【図３】
2008204418.tif 000042
【図４】
2008204418.tif 000043
【図５】
2008204418.tif 000044
【図６】
2008204418.tif 000045
【図７】
2008204418.tif 000046
【図８】
2008204418.tif 000047
【図９】
2008204418.tif 000048
【図１０】
2008204418.tif 000049
【図１１】
2008204418.tif 000050
【図１２】
2008204418.tif 000051
【図１３】
2008204418.tif 000052
【図１４】
2008204418.tif 000053
【図１５】
2008204418.tif 000054
【図１６】
2008204418.tif 000055
【図１７】
2008204418.tif 000056
【図１８】
2008204418.tif 000057
【図１９】
2008204418.tif 000058